(57)【要約】【課題】時間の経過とともに変化する動的な表示を行うことのできる表示装置を低コストで提供する。【解決手段】いわゆるエッジライト方式のバックライト２のうち導光板４に複数の凹溝４ａを形成し、その各凹溝４ａをもって導光板４を各セグメント４ｂに分割するとともに、各セグメント４ｂ毎に独立して且つ個別に点灯および消灯が可能な赤色ＬＥＤ５Ｒおよび緑色ＬＥＤ５Ｇを、各セグメント４ｂの端面に対向配置する。赤色ＬＥＤ５Ｒまたは緑色ＬＥＤ５Ｇから照射して上下方向矢印状の透光部６を備えた表示プレート３を透過した照射光をもって、上方向矢印または下方向矢印を点灯表示する。【選択図】図１
2008129094.tif 000002
【特許請求の範囲】
【請求項１】
導光板と、その導光板の端面に対向配置された光源と、上記導光板の表裏両面のいずれか一方に所定の指示方向を指し示す表示図柄の描画をもって形成された表示部と、を備えていて、上記光源から照射されて表示部を透過した照射光をもって上記表示図柄を点灯表示するようにした表示装置であって、
上記導光板が表示図柄の指示方向で少なくとも三つの独立したセグメントに分割されているとともに、上記光源が各セグメント毎に独立していて且つ個別にその点灯と消灯が可能となっていて、
上記表示図柄の点灯表示が、少なくとも所定のタイミングにおいていずれか一つのセグメントでの光源の消灯と残りのセグメントでの光源の点灯とを組み合わせた複数のパターンを含む動的表示パターンをもってなされるようになっているとともに、
上記動的表示パターンは、消灯する光源をセグメントの並設方向の順番で周期的に切り換えることにより、上記表示図柄の点灯表示を動的に行うようになっていることを特徴とする表示装置。
【請求項２】
上記導光板に形成された凹溝により上記導光板が各セグメントに分割されていることを特徴とする請求項１に記載の表示装置。
【請求項３】
表示図柄の長手方向両端部にそれぞれ描画され、それぞれ指示方向を指し示す一対の方向指示部と、表示図柄の長手方向中間部に描画され、表示図柄の長手方向に沿った長手方向部と、を上記表示部が備えているとともに、特定の方向を指し示す際に一対の方向指示部が選択的に点灯表示するのに対して、長手方向部がそれぞれの方向指示部の点灯表示の際に共通して点灯表示するようになっていることを特徴とする請求項１または２に記載の表示装置。
【請求項４】
各セグメントの光源がそれぞれ少なくとも二色で発光可能となっていて、一方の指示方向を指し示すときに他方の指示方向を指し示すときと異なる色で各セグメントの光源を点灯するようになっていることを特徴とする請求項３に記載の表示装置。
【請求項５】
上記動的表示パターンは、消灯する光源を表示図柄の指示方向の順番で周期的に切り替えるようになっていることを特徴とする請求項１〜４のいずれかに記載の表示装置。
【請求項６】
上記動的表示パターンが、所定のタイミングにおいて、点灯表示する表示図柄に対応するすべてのセグメントの光源を点灯させるパターンを含んでいることを特徴とする請求項１〜５のいずれかに記載の表示装置。
【請求項７】
表示図柄がエレベータのかごの走行方向を指し示すものであることを特徴とする請求項１〜６のいずれかに記載の表示装置。
【請求項８】
表示図柄が群管理方式の一群のエレベータのうち乗場の呼びに応答するエレベータを指し示すものであることを特徴とする請求項１〜６のいずれかに記載の表示装置。
【発明の詳細な説明】
【技術分野】
【０００１】
本発明は、所定の指示方向を指し示す表示図柄の描画をもって形成された表示部に光源からの光を照射し、表示部を透過した光をもって表示図柄を点灯表示する表示装置に関する。
【背景技術】
【０００２】
この種の表示装置として、例えばエレベータのホールランタンが特許文献１に記載されている。特許文献１に記載のホールランタンは、互いに点灯色の異なる二種のＬＥＤを導光板の端面にそれぞれ対向配置し、いわゆるエッジライト方式のバックライトを構成するとともに、その導光板のうちＬＥＤからの光を出射する発光面に、かごの走行方向を示す矢印が描かれた表示プレートを重ね合わせたものである。すなわち、ＬＥＤの発した照射光が導光板の発光面から出射し、表示プレートを透過した照射光をもって表示図柄を点灯表示するようになっている。
【０００３】
そして、エレベータが乗場呼びに割り当てられたときに一方の色のＬＥＤを点灯し、かごが到着したときに他方の色のＬＥＤを点滅させるようにしている。
【特許文献１】特開２００５−２６３４３０号公報
【発明の開示】
【発明が解決しようとする課題】
【０００４】
特許文献１に記載のホールランタンでは、乗場呼びに対してかごが割り当てられてからかごが到着するまで、ホールランタンが点灯しているのみでその表示に変化がなく、乗客が待ち時間を長く感じるという問題があった。
【０００５】
また、時間とともに動的に変化する表示を行う表示装置として、例えば液晶表示装置やＬＥＤをドットマトリックス状に配置した表示装置が挙げられるが、いずれも高価であり、コスト的に不利となる。
【０００６】
本発明は以上の課題に鑑みてなされたものであり、時間の経過とともに変化する動的な表示を行うことのできる表示装置を低コストで提供することを目的としている。
【課題を解決するための手段】
【０００７】
請求項１に記載の発明は、導光板と、その導光板の端面に対向配置された光源と、上記導光板の表裏両面のいずれか一方に所定の指示方向を指し示す表示図柄の描画をもって形成された表示部と、を備えていて、上記光源から照射されて表示部を透過した照射光をもって上記表示図柄を点灯表示するようにした表示装置であることを前提とし、上記導光板が表示図柄の指示方向で少なくとも三つの独立したセグメントに分割されているとともに、上記光源が各セグメント毎に独立していて且つ個別にその点灯と消灯が可能となっていて、上記表示図柄の点灯表示が、少なくとも所定のタイミングにおいていずれか一つのセグメントでの光源の消灯と残りのセグメントでの光源の点灯とを組み合わせた複数のパターンを含む動的表示パターンをもってなされるようになっているとともに、上記動的表示パターンは、消灯する光源をセグメントの並設方向の順番で周期的に切り換えることにより、上記表示図柄の点灯表示を動的に行うようになっていることを特徴としている。
【０００８】
したがって、少なくとも請求項１に記載の発明では、上記導光板が表示図柄の指示方向で少なくとも三つのセグメントに分割されているとともに、各セグメントでの光源がそれぞれ独立していて且つ個別に点灯および消灯が可能であるため、上記動的表示パターンをもって時間とともに流れるように変化する動的な表示を行うことが可能となる。
【０００９】
詳細には請求項２に記載のように、上記導光板に形成された凹溝により上記導光板を各セグメントに分割することで、上記凹溝により各セグメント間におけるいわゆる光漏れが防止される。
【００１０】
望ましくは請求項３に記載のように、表示図柄の長手方向両端部にそれぞれ描画され、それぞれ指示方向を指し示す一対の方向指示部と、表示図柄の長手方向中間部に描画され、表示図柄の長手方向に沿った長手方向部と、を上記表示部が備えているとともに、特定の方向を指し示す際に一対の方向指示部が選択的に点灯表示するのに対して、長手方向部がそれぞれの方向指示部の点灯表示の際に共通して点灯表示すると、単一の表示装置で二方向の指示方向を選択的に指示することができるようになる。
【００１１】
その上で請求項４に記載のように、各セグメントの光源がそれぞれ少なくとも二色で発光可能となっていて、一方の指示方向を指し示すときに他方の指示方向を指し示すときと異なる色で各セグメントの光源を点灯するようになっていると、指示方向の視認性を向上させる上でより望ましい。
【００１２】
上記動的表示パターンとして好ましくは請求項５に記載のように、消灯する光源を表示図柄の指示方向の順番で周期的に切り替えるようになっていると、上記導光板のうち消灯している領域が表示図柄の指示方向に流れるような表示を行うことで、指示方向の視認性がより向上する。
【００１３】
また、請求項６に記載のように、上記動的表示パターンが、所定のタイミングにおいて、点灯表示する表示図柄に対応するすべてのセグメントの光源を点灯させるパターンを含むようにしてもよい。
【００１４】
ここで、例えば請求項７，８に記載のように、表示図柄をエレベータのかごの走行方向を指し示す図柄もしくは群管理方式の一群のエレベータのうち乗場の呼びに応答するエレベータを指し示す図柄とし、表示装置をエレベータのホールランタンとして用いてもよい。
【発明の効果】
【００１５】
請求項１に記載の発明によれば、時間とともに流れるように変化する上記表示図柄の点灯表示を容易に行うことができるようになり、コスト的に有利となるメリットがある。
【００１６】
特に請求項２に記載の発明によれば、単一の導光板に凹溝を形成することで導光板が各セグメントに分割されるため、コスト的により有利となる。
【００１７】
また、請求項３に記載の発明によれば、単一の表示装置で二方向の指示方向を選択的に指示することができるようになるため、さらにコスト的に有利となるほか、表示装置が省スペース化を図る上で好ましいものとなる。
【発明を実施するための最良の形態】
【００１８】
図１は本発明のより具体的な実施の形態として、エレベータのホールランタンを示す斜視図であって、図２は図１におけるホールランタンのうち導光板単体を裏面側から見た斜視図である。
【００１９】
図１に示す表示装置たるホールランタン１は、周知のように群管理方式の一群のエレベータの乗場に各エレベータ毎に設けられていて、対応するエレベータが乗場呼びに応答するときに点灯し、乗場呼びに応答するエレベータを予報するとともに、かご到着後の運転方向を表示するようになっている。
【００２０】
ホールランタン１はいわゆるエッジライト方式のバックライト２と表示図柄が描かれた表示部たる表示プレート３を備えていて、バックライト２は透光性のアクリルから形成された略平板状の導光板４と光源たる赤色ＬＥＤ５Ｒおよび緑色ＬＥＤ５Ｇから構成されている。すなわち、赤色ＬＥＤ５Ｒおよび緑色ＬＥＤ５Ｇから照射されて表示プレート３を透過した光をもって表示図柄を点灯表示するようになっている。なお、ホールランタン１は乗場の垂直壁に埋め込まれていて、表示プレート３の表面が乗場の垂直壁面と面一となるように設置される。
【００２１】
図２に示すように、導光板４の裏面には導光板４をその幅方向（左右方向）で貫通する互いに平行な複数（図示の例では９つ）の凹溝４ａが形成されていて、その凹溝４ａをもって導光板４が単列で複数（図示の例では８つ）の独立したセグメント４ｂに分割されている。なお、周知のように導光板の裏面には図示しない白色の拡散ドットが印刷されている。
【００２２】
各セグメント４ｂの長手方向端面、すなわち導光板４の左右方向端面には、図１に示すように各セグメント４ｂ毎にそれぞれ独立した赤色ＬＥＤ５Ｒおよび緑色ＬＥＤ５Ｇがそれぞれ対向配置されていて、各ＬＥＤ５Ｒ，５Ｇはそれぞれ個別に点灯および消灯が可能となっている。すなわち、緑色ＬＥＤ５Ｇおよび赤色ＬＥＤ５Ｒの二つが組となっていて、各組における緑色ＬＥＤ５Ｇおよび赤色ＬＥＤ５Ｒを選択的に点灯させるようになっている。
【００２３】
したがって、赤色ＬＥＤ５Ｒから導光板４に光を照射すると、その照射光は対応するセグメント４ｂの表面たる発光面４ｃから出射し、その発光面４ｃが赤色に発光する。同様に、緑色ＬＥＤ５Ｇから導光板４に光を照射すると、その照射光は対応するセグメント４ｂの発光面４ｃから出射し、その発光面４ｃが緑色に発光する。なお、各セグメント４ｂ内に入射した照射光は全反射によって各セグメント４ｂ内に導かれ、図示しない上記拡散ドットに当たった照射光が発光面４ｃから出射するため、各セグメント４ｂの側壁面から凹溝へ照射光を出射することが防止される。つまり、各セグメント４ｂの側壁面で照射光が全反射することで、各セグメント４ｂ間におけるいわゆる光漏れが防止される。
【００２４】
一方、表示プレート３は、導光板４の発光面４ｃに重合していて、バックライト２からの光を透過する透光部６と、バックライト２からの光を遮光する遮光部７と、を備えている。
【００２５】
詳細には、表示プレート３の透光部６が、その上端に形成された方向指示部たる上方向矢印部６ａと、その下端に形成された方向指示部たる下方向矢印部６ｂと、両矢印部６ａ，６ｂを連結する長手方向部たる棒線部６ｃと、から構成され、透光部６は表示図柄としてその長手方向両側、すなわち上下方向を指し示すいわゆる上下方向矢印状をなしている。換言すれば、透光部６が導光板４の凹溝４ａに直交する方向の両側を指示方向として指し示していて、導光板４は透光部６の指示方向で複数の独立したセグメント４ｂに分割されている。
【００２６】
そして、表示プレート３のうち上方向矢印部６ａおよび下方向矢印部６ｂがそれぞれ二つのセグメント４ｂに重合していて、表示プレート３のうち棒線部６ｃが四つのセグメント４ｂに重合している。つまり、透光部６のうち棒線部６ｃおよび上方向矢印部６ａに対応するセグメント４ｂの緑色ＬＥＤ５Ｇを点灯することで、上方向矢印を緑色で点灯表示する一方で、透光部のうち棒線部６ｃおよび下方向矢印部６ｂに対応するセグメント４ｂの赤色ＬＥＤ５Ｒを点灯することで、下方向矢印を赤色で点灯表示するようになっている。
【００２７】
図３はホールランタン１の表示制御装置を示す図である。なお、図３では一例としてＮ階の乗場に設けられたホールランタン１の表示制御装置を示しているが、ホールランタン１は各階の乗場に設けられているとともに、各階のホールランタン１はほぼ同様に構成されている。
【００２８】
図３に示すように、Ｎ階で乗場呼びが登録されると、主制御装置８にて一群のエレベータのうち乗場呼びに応答するエレベータを決定し、乗場呼びに応答するエレベータの情報およびかご到着後の走行方向の情報がＮ階の乗場制御装置９を介して乗場呼びに応答するエレベータのホールランタン１のうち表示制御装置１０のＣＰＵ１１に伝送される。
【００２９】
ＣＰＵ１１には、乗場制御装置９からＤＣ−ＤＣコンバータ１２を介して電源が供給されていて、乗場制御装置９から入力した情報に応じてＣＰＵ１１から表示制御部１３に表示指令を出力する。
【００３０】
表示制御部１３は、ＣＰＵ１１からの表示指令に応じて各ＬＥＤ５Ｒ，５Ｇの点灯指令を緑色ＬＥＤ出力インタフェース１４および赤色ＬＥＤ出力インタフェース１５に出力し、両出力インタフェース１４，１５をスイッチング動作させることで、各ＬＥＤ５Ｒ，５Ｇを点灯させることとなる。なお、各ＬＥＤ５Ｒ，５Ｇには乗場制御装置９から電源が供給されている。
【００３１】
図４はホールランタン１の動作を示すフローチャートである。
【００３２】
したがって本実施の形態では、図４に示すように昇方向の乗場呼びが登録されてその乗場呼びに応答するエレベータが割り当てられると（ステップＳ１）、割り当てられたエレベータのホールランタン１が点灯する（ステップＳ２）。すなわち、上方向矢印部６ａおよび棒線部６ｃに対応する各セグメント４ｂの緑色ＬＥＤ５Ｇをそれぞれ点灯し、上方向矢印を緑色で点灯表示することで、乗場呼びに応答するエレベータを予報するとともに、かご到着後の走行方向を指し示すこととなる。
【００３３】
そして、上方向矢印部６ａおよび棒線部６ｃに対応する各セグメント４ｂの緑色ＬＥＤ５Ｇをそれぞれ例えば３秒間点灯した後に（ステップＳ３）、棒線部６ｃの下端に対応するセグメント４ｂの緑色ＬＥＤ５Ｇを一旦消灯し、一つのセグメント４ｂでの緑色ＬＥＤ５Ｇの消灯と残りのセグメント４ｂでの緑色ＬＥＤ５Ｇの点灯とを組み合わせた複数のパターンを含む動的表示パターンをもって上方向矢印を点灯表示する（ステップＳ４）。
【００３４】
図５の（ａ）〜（ｇ）は上方向矢印の動的表示パターンを構成する各パターンを示していて、図５の（ａ）〜図５の（ｇ）の順番で消灯する緑色ＬＥＤ５Ｇを切り替えることで上方向に流れるような表示を行うようになっている。なお、図５の（ａ）〜（ｇ）において、黒色の部位は消灯部分を示していて、白色の部位が点灯部分を示している。
【００３５】
すなわち、上記動的表示パターンは、図５の（ａ）に示すパターンのように、棒線部６ｃの下端に対応するセグメント４ｂにおける緑色ＬＥＤ５Ｇを消灯した状態から、図５の（ｂ）〜（ｆ）に示すパターンのように、消灯する緑色ＬＥＤ５Ｇを上方向、言い換えればセグメントの並設方向の順番で周期的に切り替えることにより、上方向矢印の点灯表示を動的に行うようになっている。したがって、上記動的表示パターンでは、上方向矢印部６ａのうち少なくとも一部が常に点灯表示されている。
【００３６】
なお、図５の（ｆ）に示すパターンのように、上方向矢印部６ａ上端に対応するセグメント４ｂの緑色ＬＥＤ５Ｇを消灯した場合には、次いで図５の（ｇ）に示すパターンのように、上方向矢印部６ａおよび棒線部６ｃに対応するすべてのセグメント４ｂの緑色ＬＥＤ５Ｇをそれぞれ点灯し、その次に図５の（ａ）に示すパターンのように、棒線部６ｃ下端に対応するセグメント４ｂの緑色ＬＥＤ５Ｇを消灯して動的表示パターンを繰り返すようになっている。
【００３７】
かごが乗場に接近して減速を始めると（ステップＳ５）、上方向矢印部６ａおよび棒線部６ｃに対応する各セグメント４ｂの緑色ＬＥＤ５Ｇをそれぞれ同一のタイミングで点滅させることで、上方向矢印を点滅表示する（ステップＳ６）。
【００３８】
そして、かごが乗場に到着し、乗客がかごへ乗降して戸閉動作を開始した時点で（ステップＳ７）、すべての緑色ＬＥＤ５Ｇをそれぞれ消灯することとなる（ステップＳ８）。
【００３９】
一方、降方向の乗場呼びが登録されてその乗場呼びに応答するエレベータが割り当てられた場合には、下方向矢印部６ｂおよび棒線部６ｃに対応する各セグメント４ｂの赤色ＬＥＤ５Ｒをそれぞれ点灯して下方向矢印を赤色で点灯表示する。なお、この場合にも上方向の乗場呼びが登録された場合と同様に、下方向矢印部６ｂおよび棒線部６ｃに対応する各セグメント４ｂの赤色ＬＥＤ５Ｒを例えば３秒間点灯した後に、動的表示パターンをもって下方向矢印を点灯表示し、さらに下方向矢印の点滅表示を行うこととなる。
【００４０】
図６の（ａ）〜（ｇ）は下方向矢印の動的表示パターンを構成する各パターンを示している。なお、図６の（ａ）〜（ｇ）において、黒色の部位は消灯部分を示していて、白色の部位が点灯部分を示している。
【００４１】
すなわち、この場合における上記動的表示パターンは、図６の（ａ）〜（ｇ）に示すように、消灯する赤色ＬＥＤ５Ｒを下方向の順番で周期的に切り替えることにより、下方向に流れるような点灯表示を動的に行うこととなる。
【００４２】
したがって本実施の形態によれば、凹溝４ａにより導光板４を各セグメント４ｂに分割することで、各セグメント４ｂ間におけるいわゆる光漏れを防止するとともに、各セグメント４ｂにおける各ＬＥＤ５Ｒ，５Ｇをそれぞれ独立して且つ個別に点灯および消灯することで、時間とともに流れるように変化する動的な表示を行うようにしているため、動的な表示を容易に行うことができるようになり、コスト的に有利となるメリットがある。
【００４３】
また、単一のホールランタン１で二方向の指示方向を指し示すことができ、コスト的により有利となる上に、省スペース化を図る上で好ましいものとなる。
【００４４】
図７，８は本発明の第２の実施の形態を示す図であって、図７はエレベータの乗場を示す図、図８は図７におけるホールランタンを示す図である。
【００４５】
図７に示す第二の実施の形態では、群管理方式のＡ号機エレベータ１６およびＢ号機エレベータ１７に共通の呼びボタン１８が、乗場の垂直壁のうち両エレベータ１６，１７の乗場出入口１６ａ，１７ａ同士の間に設けられていて、その呼びボタン１８の上方にホールランタン１９が設けられている。
【００４６】
図８に示すように、ホールランタン１９は、いわゆる左右方向矢印を表示する一対の表示装置２０，２１を上下方向で並設したものであって、両エレベータ１６，１７のうち乗場呼びに応答するエレベータを指し示すようになっている。すなわち、昇方向の乗場呼びに応答するエレベータを上方の表示装置２０をもって指し示す一方で、降方向の乗場呼びに応答するエレベータを下方の表示装置２１をもって指し示すようになっている。なお、両表示装置２０，２１同士の間には遮光板２２が設けられている。
【００４７】
各表示装置２０，２１は上述した第１の実施の形態におけるホールランタン１とほぼ同様に構成されているが、第１の実施の形態におけるホールランタン１では各セグメント４ｂに対応して緑色ＬＥＤ５Ｇおよび赤色ＬＥＤ５Ｒがそれぞれ設けられているのに対し、各表示装置２０，２１における各セグメントには単一のＬＥＤのみが設けられている点で異なっている。すなわち、上方の表示装置２０のうち各セグメント４ｂの長手方向端面に緑色ＬＥＤ５Ｇが対向配置されている一方で、下方の表示装置２１のうち各セグメント４ｂの長手方向端面に赤色ＬＥＤ５Ｒが対向配置されている。つまり、昇方向の乗場呼びに応答するエレベータを指示する矢印を緑色で点灯表示する一方で、降方向の乗場呼びに応答するエレベータを指示する矢印を赤色で点灯表示するようになっている。
【００４８】
そして、この第２の実施の形態においても、第１の実施の形態とほぼ同様な動的表示パターンをもって乗場呼びに応答するエレベータを指示する矢印を点灯表示し、第１の実施の形態とほぼ同様の効果が得られる。
【図面の簡単な説明】
【００４９】
【図１】本発明の第１の実施の形態を示していて、エレベータの乗場に設置されたホールランタンを示す図。
【図２】図１におけるホールランタンのうち導光板を単体で示す図。
【図３】図１におけるホールランタンの表示制御装置を示す図。
【図４】図１におけるホールランタンの動作を示すフローチャート。
【図５】図１のホールランタンにおける上方向矢印の動的表示パターンを示す図。
【図６】図１のホールランタンにおける下方向矢印の動的表示パターンを示す図。
【図７】本発明の第２の実施の形態を示す図であって、エレベータの乗場を示す図。
【図８】図７におけるホールランタンを示す図。
【符号の説明】
【００５０】
１…ホールランタン（表示装置）
３…表示プレート（表示部）
４…導光板
４ａ…凹溝
４ｂ…セグメント
５Ｒ…赤色ＬＥＤ（光源）
５Ｇ…緑色ＬＥＤ（光源）
６…透光部（表示図柄）
６ａ…上方向矢印部（方向指示部）
６ｂ…下方向矢印部（方向指示部）
６ｃ…棒線部（長手方向部）
２０…表示装置
２１…表示装置
【図１】
2008129094.tif 000003
【図２】
2008129094.tif 000004
【図３】
2008129094.tif 000005
【図４】
2008129094.tif 000006
【図５】
2008129094.tif 000007
【図６】
2008129094.tif 000008
【図７】
2008129094.tif 000009
【図８】
2008129094.tif 000010